(57)【特許請求の範囲】
【請求項１】
肌当接側に位置する透液性シートと、肌非当接側に位置する不透液性シートと、それらシートの間に位置する吸液性第１パネルとから構成され、胴周り開口とその下方に一対の脚周り開口とを有し、前記脚周り開口が、前記第１パネルの両側縁の外側を脚周り方向へ延びる脚周りフラップに囲繞され、前記第１パネルの両側縁間の幅寸法が、前記脚周り開口の底部の側で最小となるパンツ型の使い捨て着用物品において、
前記脚周りフラップには、前記脚周り開口の底部の側に位置する前記第１パネルの両側縁から該脚周り開口の頂部の側に位置する前記脚周りフラップの自由側縁に向かって脚周り方向上方へ延びる第１折曲線と、前記脚周り開口の底部の側に位置する前記第１パネルの両側縁から該脚周り開口の底部の側に位置する前記脚周りフラップの自由側縁に向かって幅方向外方へ延びる第２折曲線とが形成され、
前記脚周りフラップが、前記第１および第２折曲線を介して折曲されて前記脚周り開口の内側へ折り込まれ、前記脚周り開口の底部の側に位置する前記脚周りフラップが、前記第１パネルの上方へ起立し、前記脚周りフラップの自由側縁どうしが、前記脚周り開口の底部で幅方向内方へ向かって互いに接近することを特徴とする前記着用物品。
【請求項２】
前記脚周り開口の底部の側に位置する前記脚周りフラップの自由側縁どうしの最小離間寸法が、前記脚周り開口の底部の側に位置する前記第１パネルの両側縁間の最小幅寸法と略同一である請求項１記載の着用物品。
【請求項３】
前記脚周り開口の底部の側に位置する前記第１パネルの両側縁間の最小幅寸法が、２〜９ｃｍの範囲にある請求項１または請求項２に記載の着用物品。
【請求項４】
前記脚周り方向へ延びる脚周り用弾性部材が、前記脚周りフラップに伸長状態で取り付けられている請求項１ないし請求項３いずれかに記載の着用物品。
【請求項５】
前記脚周りフラップの自由側縁が、前記脚周り開口の頂部の側から底部の側に向かって幅方向内方へ実質的に弧を画き、前記脚周りフラップの自由側縁間の幅寸法が、前記脚周り開口の底部の側で最小となる請求項１ないし請求項４いずれかに記載の着用物品。
【請求項６】
前記透液性シートと前記不透液性シートとの間に介在する吸液性第２パネルが、前記第１折曲線近傍と前記脚周りフラップの自由側縁との間に配置され、前記脚周りフラップとともに前記脚周り開口の幅方向内方へ折り込まれている請求項１ないし請求項５いずれかに記載の着用物品。
【請求項７】
前記第２折曲線を含むその近傍では、前記第２パネルの剛性が相対的に低いかまたは前記第２パネルが存在しない請求項６記載の着用物品。
【発明の詳細な説明】
【０００１】
【発明の属する技術分野】
本発明は、排泄物を吸収、保持するパンツ型の使い捨て着用物品に関する。
【０００２】
【従来の技術】
互いに対向する前胴周り域および後胴周り域と、それら胴周り域の間に位置する股下域とを備え、透液性表面シートおよび不透液性裏面シートと、それらシートの間に介在して股下域から前後胴周り域へ向かって延びる吸液性パネルとから構成され、前後胴周り域の互いに重なり合う胴周り側部が連結されて胴周り開口とその下方に一対の脚周り開口とが形成されたパンツ型の使い捨て着用物品は公知である。
【０００３】
脚周り開口は、パネルの両側縁の外側を脚周り方向へ延びる脚周りフラップに囲繞されている。脚周りフラップは、その自由側縁が脚周り開口の頂部の側から底部の側に向かって物品の幅方向内方へ弧を画き、自由側縁間の幅寸法が脚周り開口の底部で最小となっている。物品は、股下域の幅寸法が前後胴周り域の幅寸法よりも小さく、前後胴周り域の連結を解除した展開平面形状が実質的に砂時計型を呈する。そのようなパンツ型の着用物品としては、特開平１１−１０４１７７号公報、特開平１１−１０４１８０号公報、特開平１１−１５５９０４号公報、特開平１１−１６９４０３号公報に開示されている。
【０００４】
【発明が解決しようとする課題】
前記公知の着用物品では、胴周り開口を広げてそれを胴周り開口の上方から見ると、物品の縦方向へ開口する胴周り開口に対して脚周り開口が物品の幅方向へ開口しており、胴周り開口と脚周り開口とが直線的につながっておらず、脚周り開口の底部の側に延びる脚周りフラップが胴周り開口の直下に位置することがわかる。この物品では、それを着用するために着用者がその両脚を胴周り開口から脚周り開口へ通すとき、脚周り開口の底部に位置する脚周りフラップに脚の指や踵が引っ掛り易く、物品の着用に手間取る場合がある。
【０００５】
また、この物品では、脚周り開口の底部における股下域の幅寸法が着用者の股間部の幅寸法よりも大きいので、物品を着用したときに、股下域が着用者の股間部に納まらず、股下域が嵩張って着用中に違和感がある。この物品では、股下域が着用者の股間部によって締め付けられたとき、脚周りフラップが不規則に折れ曲がったり、パネルに不規則な多数の皺が生じるので、股下域における排泄物吸収機能が低下し易く、股下域から排泄物が漏れてしまう場合がある。
【０００６】
なお、着用者の股間部の幅寸法は、概ね３〜８ｃｍの範囲にある。また、市販されている着用物品の多くは、股下域におけるパネルの最小幅寸法が概ね１０〜２０ｃｍの範囲にあり、股下域における脚周りフラップの自由側縁間の最小幅寸法が概ね１５〜３０ｃｍの範囲にある。ゆえに、市販の物品では、脚周り開口の底部における股下域の幅寸法が着用者の股間部の幅寸法よりも大きい。
【０００７】
本発明の課題は、着用に手間取ることがなく、股下域を着用者の股間部に納めることができ、着用中の違和感がないパンツ型の使い捨て着用物品を提供することにある。
【０００８】
【課題を解決するための手段】
前記課題を解決するための本発明の前提は、肌当接側に位置する透液性シートと、肌非当接側に位置する不透液性シートと、それらシートの間に位置する吸液性第１パネルとから構成され、胴周り開口とその下方に一対の脚周り開口とを有し、前記脚周り開口が、前記第１パネルの両側縁の外側を脚周り方向へ延びる脚周りフラップに囲繞され、前記第１パネルの両側縁間の幅寸法が、前記脚周り開口の底部の側で最小となるパンツ型の使い捨て着用物品である。
【０００９】
前記前提における本発明の特徴として、前記脚周りフラップには、前記脚周り開口の底部の側に位置する前記第１パネルの両側縁から該脚周り開口の頂部の側に位置する前記脚周りフラップの自由側縁に向かって脚周り方向上方へ延びる第１折曲線と、前記脚周り開口の底部の側に位置する前記第１パネルの両側縁から該脚周り開口の底部の側に位置する前記脚周りフラップの自由側縁に向かって幅方向外方へ延びる第２折曲線とが形成され、
前記脚周りフラップが、前記第１および第２折曲線を介して折曲されて前記脚周り開口の幅方向内方へ折り込まれ、前記脚周り開口の底部の側に位置する前記脚周りフラップが、前記第１パネルの上方へ起立し、前記脚周りフラップの自由側縁どうしが、前記脚周り開口の底部で幅方向内方へ向かって互いに接近することにある。
【００１０】
本発明の実施の態様の一例としては、前記脚周り開口の底部の側に位置する前記脚周りフラップの自由側縁どうしの最小離間寸法が、前記脚周り開口の底部の側に位置する前記第１パネルの両側縁間の最小幅寸法と略同一である。
【００１１】
本発明の実施の態様の他の一例としては、前記脚周り開口の底部の側に位置する前記第１パネルの両側縁間の最小幅寸法が、２〜９ｃｍの範囲にある。
【００１２】
本発明の実施の態様の他の一例としては、前記脚周り方向へ延びる脚周り用弾性部材が、前記脚周りフラップに伸長状態で取り付けられている。
【００１３】
本発明の実施の態様の他の一例としては、前記脚周りフラップの自由側縁が、前記脚周り開口の頂部の側から底部の側に向かって幅方向内方へ実質的に弧を画き、前記脚周りフラップの自由側縁間の幅寸法が、前記脚周り開口の底部の側で最小となる。
【００１４】
本発明の実施の態様の他の一例としては、前記透液性シートと前記不透液性シートとの間に介在する吸液性第２パネルが、前記第１折曲線近傍と前記脚周りフラップの自由側縁との間に配置され、前記脚周りフラップとともに前記脚周り開口の幅方向内方へ折り込まれている。
【００１５】
本発明の実施の態様の他の一例として、前記第２折曲線を含むその近傍では、前記第２パネルの剛性が相対的に低いかまたは前記第２パネルが存在しない。
【００１６】
【発明の実施の形態】
添付の図面を参照し、本発明に係るパンツ型の使い捨て着用物品の詳細を説明すると、以下のとおりである。
【００１７】
図１，２は、使い捨て着用物品１Ａの斜視図と、脚周りフラップ１３を脚周り開口１７の内側へ折り込む以前の状態で示す物品１Ａの斜視図とであり、図３，４は、前後胴周り域８，１０の連結を解除した状態で示す図２の物品１Ａの部分破断展開平面図と、図１のＡ−Ａ線矢視断面図とである。図１，２では、胴周り方向を矢印Ｘ１、幅方向を矢印Ｘ２で示し、縦方向を矢印Ｙ、脚周り方向を矢印Ｚで示す。なお、表面シート２や裏面シート３、外装シート４の内面とは、第１パネル５に対向する面をいい、それらシート２，３，４の外面とは、第１パネル５に非対向の面をいう。
【００１８】
物品１Ａは、肌当接側に位置する矩形の透液性表面シート２（透液性シート）と、肌非当接側に位置する矩形の不透液性裏面シート３（不透液性シート）と、裏面シート３の外側に位置してその面積が表裏面シート２，３のそれよりも大きい不透液性外装シート４（不透液性シート）と、表裏面シート２，３の間に介在してそれらシート２，３のうちの少なくとも一方の内面に固着された吸液性第１パネル５とから構成されている。物品１Ａでは、表裏面シート２，３とパネル５とが液吸収性バット構造体６を形成し、外装シート４がパンツ構造体７を形成している。
【００１９】
物品１Ａは、互いに対向する前胴周り域８および後胴周り域１０と、それら胴周り域８，１０の間に位置する股下域９とを有する。物品１Ａは、パネル５の両端縁５ａの外側に位置して前後胴周り域８，１０を胴周り方向へ延びる胴周り端部１１と、パネル５の両側縁５ｂの外側に位置して前後胴周り域８，１０を縦方向へ延びる胴周り側部１２と、パネル５の両側縁５ｂの外側に位置して股下域９を脚周り方向へ延びる脚周りフラップ１３とを有する。
【００２０】
物品１Ａでは、胴周り側部１２の側縁１４近傍が合掌状に重なり合い、側縁１４近傍が縦方向へ間欠的に並ぶ多数の熱融着線１５を介して固着されている。前後胴周り域８，１０が連結された物品１Ａには、着用者の胴部を通す胴周り開口１６と、胴周り開口１６の下方に位置して着用者の両脚を通す一対の脚周り開口１７とが形成されている。物品１Ａでは、胴周り開口１６が胴周り端部１１に囲繞され、脚周り開口１７が脚周りフラップ１３に囲繞されている。
【００２１】
物品１Ａでは、前後胴周り域８，１０と股下域９の中央部とにおいて裏面シート３の外面と外装シート４の内面とが接着剤１８を介して固着されている。脚周りフラップ１３は、その自由側縁１３ａが脚周り開口１７の頂部１７ａの側から底部１７ｂの側に向かって物品１Ａの幅方向内方へ実質的に弧を画き、自由側縁１３ａ間の幅寸法Ｍ３が脚周り開口１７の底部１７ｂの側で最小となっている。物品１Ａは、図３に示すように、股下域９の幅寸法が前後胴周り域８，１０の幅寸法よりも小さく、その平面形状が砂時計型を呈する。
【００２２】
パネル５は、股下域９から前後胴周り域８，１０へ向かって延びている。パネル５は、その両側縁５ｂが股下域９において物品１Ａの幅方向内方へ向かって弧を画いている。パネル５は、その平面形状が砂時計型を呈し、両側縁５ｂ間の幅寸法が脚周り開口１７の底部１７ｂの側で最小となっている。脚周り開口１７の底部１７ｂの側に位置するパネル５の両側縁５ｂ間の最小幅寸法Ｍ１は、２〜９ｃｍの範囲にある。最小幅寸法Ｍ１が２ｃｍ未満では、脚周り開口１７の底部１７ｂの側における股下域９の排泄物吸収機能が著しく低下してしまう。最小幅寸法Ｍ１が９ｃｍを超過すると、物品１Ａを着用したときに、脚周り開口１７の底部１７ｂの側に位置するパネル５が着用者の股間部に納まらず、パネル５が嵩張って物品１Ａの着用中に違和感がある。また、パネル５が着用者の股間部によって締め付けられたときに、パネル５に不規則な多数の皺が生じてしまう。パネル５は、その平面形状を砂時計型に限定するものではなく、最小幅寸法Ｍ１が２〜９ｃｍの範囲にあれば、その平面形状が矩形であってもよい。
【００２３】
表面シート２と裏面シート３とでは、パネル５の両端縁５ａから縦方向外方へ延びるそれらシート２，３の両端部２ａ，３ａとパネル５の両側縁５ｂから幅方向外方へ延びるそれらシート２，３の両側部２ｂ，３ｂとが互いに重なり合い、両端部２ａ，３ａと両側部２ｂ，３ｂとにおいてそれらシート２，３の内面どうしが固着されている。表裏面シート２，３の両側部２ｂ，３ｂは、前後胴周り域８，１０において物品１Ａの幅方向内方へ向かって折曲されている。前後胴周り域８，１０に位置するそれらシート２，３の両側部２ｂ，３ｂは、物品１Ａの幅方向内方へ倒伏した状態にあり、互いに当接する表面シート２の外面どうしが固着されている。
【００２４】
なお、図示はしていないが、パネル５の両側縁５ｂの外側には、表裏面シート２，３とは別体の防漏シートが取り付けられていてもよい。この場合、防漏シートは、パネル５の両側縁５ｂの外側に固着された固定縁部と、パネル５の上方へ起立性向を有する自由縁部と、物品１Ａの幅方向内方へ倒伏した状態でパネル５の両端縁５ａの外側に固着された固定両端部とを有し、自由縁部に脚周り方向へ延びる弾性部材が伸長状態で取り付けられる。防漏シートとしては、疎水性繊維不織布、疎水性繊維不織布と不透液性プラスチックフィルムとを重ね合わせた複合シートのいずれかを使用することができる。
【００２５】
胴周り端部１１は、パネル５の両端縁５ａから縦方向外方へ延びる外装シート４から形成されている。胴周り側部１２は、パネル５の両側縁５ｂから幅方向外方へ延びる外装シート４から形成されている。外装シート４には、疎水性繊維不織布１９，２０を重ね合わせた複合不織布が使用されている。胴周り端部１１には、胴周り方向へ延びる帯状の胴周り用弾性部材２１が伸長状態で取り付けられている。胴周り用弾性部材２１は、不織布１９，２０の間に介在し、それら不織布１９，２０のうちの少なくとも一方に固着されている。
【００２６】
脚周りフラップ１３は、パネル５の両側縁５ｂから幅方向外方へ延びる表裏面シート２，３の両側部２ｂ，３ｂとパネル５の両側縁５ｂから幅方向外方へ延びる外装シート４とから形成されている。脚周りフラップ１３には、脚周り方向へ延びる複数条の脚周り用弾性部材２２が伸長状態で取り付けられている。
【００２７】
脚周りフラップ１３には、第１折曲線Ｌ１と第２折曲線Ｌ２とが形成されている。第１折曲線Ｌ１は、脚周り開口１７の底部１７ｂの側に位置するパネル５の両側縁５ｂから脚周り開口１７の頂部１７ａの側に位置する脚周りフラップ１３の自由側縁１３ａに向かって脚周り方向上方へ延びている。第２折曲線Ｌ２は、脚周り開口１７の底部１７ｂの側に位置するパネル５の両側縁５ｂから脚周り開口１７の底部１７ｂの側に位置する脚周りフラップ１３の自由側縁１３ａに向かって幅方向外方へ延びている。脚周りフラップ１３は、第１および第２折曲線Ｌ１，Ｌ２を介して折曲され、図２に矢印Ｘ３で示すように、物品１Ａの幅方向内方かつ脚周り開口１７の内側へ向かって折り込まれている。
【００２８】
脚周り用弾性部材２２は、外装シート４に取り付けられた第１弾性部材２３と表裏面シート２，３の両側部２ｂ，３ｂに取り付けられた第２弾性部材２４とから形成されている。第１弾性部材２３は、前胴周り域８の側から股下域９の中央部へ向かって凸となる弾性部材２３ａと、後胴周り域１０の側から股下域９の中央部へ向かって凸となる弾性部材２３ｂとから形成されている。それら弾性部材２３ａ，２３ｂは、脚周りフラップ１３を脚周り方向へ延びる両側部分２３ａ１，２３ｂ１と、股下域９の中央部を幅方向へ横切る中央部分２３ａ２，２３ｂ２とを有する。第１弾性部材２３は、不織布１９，２０の間に介在し、それら不織布１９，２０のうちの少なくとも一方に固着されている。
【００２９】
第２弾性部材２４は、弾性部材２３ａ，２３ｂの両側部分２３ａ１，２３ｂ１の間を脚周り方向へ延びている。第２弾性部材２４は、表裏面シート２，３の両側部２ｂ，３ｂの一部に被覆された状態で、表面シート２の外面に固着されている。
【００３０】
脚周り用弾性部材２２では、弾性部材２３ａ，２３ｂの両側部分２３ａ１，２３ｂ１と第２弾性部材２４の両端部分２４ａとが交差しており、それら弾性部材２３，２４が脚周りフラップ１３において実質的に環を形成している。
【００３１】
図３の平面図から図１の物品１Ａを作るには、前後胴周り域８，１０が互いに対向するように、表面シート２を内側にして物品１Ａを股下域９において折曲し、胴周り側部１２の側縁１４近傍を固着して前後胴周り域８，１０を連結する。次に、脚周りフラップ１３を第１および第２折曲線Ｌ１，Ｌ２を介して折曲し、図２に矢印Ｘ３で示すように、脚周りフラップ１３を物品１Ａの幅方向内方かつ脚周り開口１７の内側へ向かって折り込めばよい。
【００３２】
物品１Ａでは、脚周りフラップ１３が脚周り開口１７の内側へ折り込まれることで、図４に示すように、脚周り開口１７の底部１７ｂの側に位置する脚周りフラップ１３がパネル５の上方へ起立している。脚周り開口１７の底部１７ｂでは、脚周りフラップ１３を折り込む以前の状態を示す図２と比較し、脚周りフラップ１３の自由側縁１３ａどうしが物品１Ａの幅方向内方へ接近し、脚周りフラップ１３の自由側縁１３ａどうしの離間寸法が縮小している。脚周り開口１７の底部１７ｂでは、脚周りフラップ１３の自由側縁１３ａどうしの最小離間寸法Ｍ２がパネル５の両側縁５ｂ間の最小幅寸法Ｍ１と略同一になり、最小離間寸法Ｍ２が最小幅寸法Ｍ１同様に２〜９ｃｍの範囲となる。
【００３３】
物品１Ａでは、脚周りフラップ１３を折り込むことによって、脚周り開口１７の底部１７ｂの側における股下域９の幅寸法がパネル５の最小幅寸法Ｍ１と略同一になり、脚周り開口１７の底部１７ｂの側における股下域９の幅寸法を着用者の股間部の幅寸法（概ね３〜８ｃｍの範囲）と略同一または着用者の股間部の幅寸法よりも小さくすることができる。物品１Ａでは、それを着用したときに、脚周り開口１７の底部１７ｂの側における股下域９が着用者の股間部に納まるので、着用した物品１Ａに対する違和感がない。物品１Ａでは、その股下域９が着用者の股間部によって締め付けられたとしても、脚周りフラップ１３が不規則に折れ曲がったり、パネル５に不規則な多数の皺が生じることはないので、股下域９における排泄物吸収機能が低下することはなく、股下域９から排泄物が漏れてしまうことはない。
【００３４】
脚周り開口１７の底部１７ｂでは、パネル５の上方へ起立する脚周りフラップ１３が排泄物に対する障壁を形成するので、脚周り開口１７の底部１７ｂからの排泄物の漏れを防ぐことができる。
【００３５】
図５は、胴周り開口１６を広げて図１の物品１Ａを胴周り開口１６の上方から見たときの図である。物品１Ａでは、それを胴周り開口１６の上方から見ると、胴周り開口１６と脚周り開口１７の底部１７ｂとが縦方向へ開口しており、脚周り開口１７の底部１７ｂが胴周り開口１６の直下に位置し、胴周り開口１６と脚周り開口１７の底部１７ｂとが略直線的につながっている。物品１Ａでは、それを着用するために着用者がその両脚を胴周り開口１６から脚周り開口１７へ通すとき、脚周り開口１７の底部１７ｂの側に位置する脚周りフラップ１３に着用者の脚の指や踵が引っ掛ることはなく、物品１Ａの着用に手間取ることはない。
【００３６】
図６，７は、他の実施の形態を示す着用物品１Ｂの斜視図と、前後胴周り域８，１０の連結を解除した状態で示す図６の物品１Ｂの部分破断展開平面図とであり、図８，９は、図６のＢ−Ｂ線矢視断面図と、胴周り開口１６を広げて図６の物品１Ｂを胴周り開口１６の上方から見たときの図とである。図６では、胴周り方向を矢印Ｘ１、幅方向を矢印Ｘ２で示し、縦方向を矢印Ｙ、脚周り方向を矢印Ｚで示す。
【００３７】
物品１Ｂは、肌当接側に位置する透液性表面シート２（透液性シート）と、肌非当接側に位置する不透液性裏面シート３（不透液性シート）と、裏面シート３の外側に位置する不透液性外装シート４（不透液性シート）と、表裏面シート２，３の間に介在する吸液性第１パネル５とから構成され、脚周りフラップ１３に第１折曲線Ｌ１と第２折曲線Ｌ２とが形成されている点において図１の物品１Ａと同一である。この物品１Ｂが図１のそれと異なる点は、以下のとおりである。
【００３８】
物品１Ｂでは、図６に示すように、吸液性第２パネル２５が第１折曲線Ｌ１近傍と脚周りフラップ１３の自由側縁１３ａとの間に配置されている。第２パネル２５は、表面シート２と裏面シート３との間に介在し、それらシート２，３のうちの少なくとも一方の内面に固着されている。第２折曲線Ｌ２を含むその近傍では、第２パネル２５が存在しない。
【００３９】
この物品１Ｂでは、表裏面シート２，３と第１および第２パネル５，２５とが液吸収性バット構造体６を形成し、外装シート４がパンツ構造体７を形成している。第１パネル５は、その平面形状が砂時計型を呈し、両側縁５ｂ間の幅寸法が脚周り開口１７の底部１７ｂの側で最小となっている。脚周り開口１７の底部１７ｂの側に位置する第１パネル５の両側縁５ｂ間の最小幅寸法Ｍ２は、図１の第１パネル５の両側縁５ｂ間のそれと同一であり、２〜９ｃｍの範囲にある。
【００４０】
第１折曲線Ｌ１は、脚周り開口１７の底部１７ｂの側に位置する第１パネル５の両側縁５ｂから脚周り開口１７の頂部１７ａの側に位置する脚周りフラップ１３の自由側縁１３ａに向かって脚周り方向上方へ延びている。第２折曲線Ｌ２は、脚周り開口１７の底部１７ｂの側に位置する第１パネル５の両側縁５ｂから脚周り開口１７の底部１７ｂの側に位置する脚周りフラップ１３の自由側縁１３ａに向かって幅方向外方へ延びている。物品１Ｂでは、脚周りフラップ１３が第１および第２折曲線Ｌ１，Ｌ２を介して折曲され、脚周りフラップ１３とともに第２パネル２５が物品１Ｂの幅方向内方かつ脚周り開口１７の内側へ向かって折り込まれている。
【００４１】
図７の平面図から図６の物品１Ｂを作るには、前後胴周り域８，１０が互いに対向するように、表面シート２を内側にして物品１Ｂを股下域９において折曲し、胴周り側部１２の側縁１４近傍を固着して前後胴周り域８，１０を連結する。次に、脚周りフラップ１３を第１および第２折曲線Ｌ１，Ｌ２を介して折曲し、脚周りフラップ１３と第２パネル２５とを物品１Ｂの幅方向内方かつ脚周り開口１７の内側へ向かって折り込めばよい。
【００４２】
物品１Ｂでは、脚周りフラップ１３が第１および第２折曲線Ｌ１，Ｌ２を介して脚周り開口１７の内側へ折り込まれることで、図８に示すように、脚周り開口１７の底部１７ｂの側に位置する脚周りフラップ１３とともに第２パネル２５が第１パネル５の上方へ起立している。脚周り開口１７の底部１７ｂでは、脚周りフラップ１３の自由側縁１３ａどうしが物品１Ｂの幅方向内方へ接近し、脚周りフラップ１３の自由側縁１３ａどうしの離間寸法が縮小している。脚周り開口１７の底部１７ｂでは、脚周りフラップ１３の自由側縁１３ａ間の最小離間寸法Ｍ２が第１パネル５の両側縁５ｂ間の最小幅寸法Ｍ１と略同一になっている。
【００４３】
物品１Ｂでは、脚周りフラップ１３を折り込むことによって、脚周り開口１７の底部１７ｂの側における股下域９の幅寸法がパネル５の最小幅寸法Ｍ１と略同一になり、脚周り開口１７の底部１７ｂにおける股下域９の幅寸法を着用者の股間部の幅寸法と同一または着用者の股間部の幅寸法よりも小さくすることができる。物品１Ｂでは、それを着用したときに、脚周り開口１７の底部１７ｂの側における股下域９が着用者の股間部に納まるので、着用した物品１Ｂに対する違和感がない。物品１Ｂでは、その股下域９が着用者の股間部によって締め付けられたとしても、脚周りフラップ１３が不規則に折れ曲がったり、第１パネル５に不規則な多数の皺が生じることはないので、股下域９における排泄物吸収機能が低下することはなく、股下域９から排泄物が漏れてしまうことはない。
【００４４】
脚周り開口１７の底部１７ｂでは、第１パネル５の上方へ起立する脚周りフラップ１３と第２パネル２５とが排泄物に対する障壁を形成するので、脚周り開口１７の底部１７ｂからの排泄物の漏れを防ぐことができる。脚周り開口１７の底部１７ｂでは、第１パネル５が排泄物を吸収することはもちろんのこと、第２パネル２５も排泄物を吸収するので、図１の物品１Ｂと比較し、脚周り開口１７の底部１７ｂにおいて物品１Ｂに多量の排泄物を吸収させることができる。
【００４５】
物品１Ｂでは、図９に示すように、脚周り開口１７の底部１７ｂが胴周り開口１６の直下に位置し、胴周り開口１６と脚周り開口１７の底部１７ｂとが略直線的につながっている。物品１Ｂでは、それを着用するために着用者がその両脚を胴周り開口１６から脚周り開口１７へ通すとき、脚周り開口１７の底部１７ｂの側に位置する脚周りフラップ１３に着用者の脚の指や踵が引っ掛ることはなく、物品１Ｂの着用に手間取ることはない。物品１Ｂでは、第２折曲線Ｌ２を含むその近傍に第２パネル２５が存在しないので、脚周りフラップ１３を第２折曲線Ｌ２で折曲し易く、第２折曲線Ｌ２を含むその近傍に第２パネル２５が存在する場合と比較し、脚周りフラップ１３を折り込んだときのフラップ１３の嵩張りを防ぐことができる。
【００４６】
この物品１Ｂでは、第２折曲線Ｌ２を含むその近傍に第２パネル２５が存在していてもよい。第２折曲線Ｌ２を含むその近傍に第２パネル２５が存在する場合では、第２折曲線Ｌ２を含むその近傍における第２パネル２５の剛性がそこを除く第２パネル２５の剛性よりも低くなっていることが好ましい。物品１Ｂでは、第１折曲線Ｌ１を含むその近傍に存在する第２パネル２５の剛性がそこを除く第２パネル２５の剛性よりも低くなっていることが好ましい。また、物品１Ｂでは、第１折曲線Ｌ１を含むその近傍に第１パネル５が存在していてもよい。第１折曲線Ｌ１を含むその近傍に第１パネル５が存在する場合では、第１折曲線Ｌ１を含むその近傍における第１パネル５の剛性がそこを除く第１パネル５の剛性よりも低くなっていることが好ましい。第１および第２折曲線Ｌ１，Ｌ２を含むその近傍における第１および第２パネル５，２５の剛性を低くするには、たとえば、それらパネル５，２５を形成するフラッフパルプと熱可塑性合成樹脂繊維とのうちの少なくとも一方の単位体積当たりの坪量を低下させればよい。
【００４７】
図１と図６とに示す物品１Ａ，１Ｂでは、脚周りフラップ１３の折り込み形態を確実に維持するため、脚周りフラップ１３が折り込まれたときに、第１および第２折曲線Ｌ１，Ｌ２と脚周りフラップ１３の自由側縁１３ａとの間に位置して互いに当接する外装シート４の外面どうしを固着してもよい。
【００４８】
表面シート２には、親水性繊維不織布、多数の開孔を有する疎水性繊維不織布、微細な多数の開孔を有するプラスチックフィルムのいずれかを使用することができる。裏面シート３には、疎水性繊維不織布、通気不透液性プラスチックフィルム、疎水性繊維不織布どうしを重ね合わせた複合不織布、疎水性繊維不織布と通気不透液性プラスチックフィルムとを重ね合わせた複合シートのいずれかを使用することができる。外装シート４には、疎水性繊維不織布、通気不透液性プラスチックフィルム、疎水性繊維不織布と通気不透液性プラスチックフィルムとを重ね合わせた複合シートのいずれかを使用することもできる。裏面シート３や外装シート４には、高い耐水性を有するメルトブローン法による繊維不織布の両面を、高い強度を有しかつ柔軟性に富んだスパンボンド法による繊維不織布で挟んだ複合不織布を使用することもできる。
【００４９】
不織布には、スパンレース、ニードルパンチ、メルトブローン、サーマルボンド、スパンポンド、ケミカルボンド、エアースルー、の各製法により製造されたものを使用することができる。不織布の構成繊維には、ポリオレフィン系、ポリエステル系、ポリアミド系、の各繊維、ポリエチレン／ポリプロピレンやポリエチレン／ポリエステルからなる芯鞘型複合繊維または並列型複合繊維を使用することができる。
【００５０】
外装シート４には、伸縮性かつ疎水性の繊維不織布、伸縮性かつ不透液性のプラスチックフィルム、伸縮性かつ疎水性の繊維不織布を重ね合わせた複合不織布、伸縮性かつ疎水性の繊維不織布と伸縮性かつ不透液性のプラスチックフィルムとを重ね合わせた複合シートのいずれかを使用することもできる。
【００５１】
伸縮性不織布には、メルトブローンやスパンボンドの各製法により製造されたものを使用することができる。伸縮性不織布の構成繊維には、熱可塑性エラストマー樹脂を溶融、紡糸した伸縮性繊維を使用することができる。また、外装シート４には、熱可塑性エラストマー樹脂繊維からなる伸縮性繊維不織布の少なくとも片面に、ポリプロピレン、ポリエチレン、ポリエステル、のいずれかの熱可塑性合成樹脂を溶融、紡糸した捲縮繊維からなる繊維不織布を貼り合わせた複合不織布を使用することもできる。
【００５２】
第１および第２パネル５，２５は、フラッフパルプと高吸収性ポリマー粒子との混合物、または、フラッフパルプと高吸収性ポリマー粒子と熱可塑性合成樹脂繊維との混合物であり、所要の厚みに圧縮されている。第１および第２パネル５，２５は、それの型崩れやポリマー粒子の脱落を防止するため、全体がティッシュペーパーに被覆、接合されていることが好ましい。ポリマー粒子としては、デンプン系、セルロース系、合成ポリマー系のものを使用することができる。
【００５３】
表面シート２と裏面シート３との固着、表裏面シート２，３とパネル５，２５との固着、脚周りフラップ１３に対する弾性部材２１，２２の固着には、ホットメルト型接着剤、または、ヒートシールやソニックシール等の熱による溶着手段を利用することができる。
【００５４】
【発明の効果】
本発明にかかるパンツ型の使い捨て着用物品によれば、第１および第２折曲線を介して脚周りフラップが物品の幅方向内方かつ脚周り開口の内側へ向かって折り込まれることで、脚周り開口の底部の側に位置する脚周りフラップが第１パネルの上方へ起立するとともに、脚周りフラップの自由側縁どうしが脚周り開口の底部で物品の幅方向内方へ接近し、脚周りフラップを折り込む以前の状態よりも、脚周り開口の底部において脚周りフラップの自由側縁どうしの離間寸法が縮小する。この物品では、脚周り開口の底部が胴周り開口の直下に位置し、胴周り開口と脚周り開口の底部とが直線的につながるので、物品を着用するために着用者がその両脚を胴周り開口から脚周り開口へ通すとき、脚周り開口の底部に位置する脚周りフラップに着用者の脚の指や踵が引っ掛ることはなく、物品の着用に手間取ることはない。
【００５５】
この物品では、脚周りフラップを折り込むことによって、脚周り開口の底部における股下域の幅寸法を着用者の股間部の幅寸法と同一または着用者の股間部の幅寸法よりも小さくすることができ、物品を着用したときに脚周り開口の底部における股下域が着用者の股間部に納まるので、着用した物品に対する違和感がない。この物品では、股下域が着用者の股間部によって締め付けられたとしても、脚周りフラップが不規則に折れ曲がったり、第１パネルに不規則な多数の皺が生じることはないので、股下域における排泄物吸収機能が低下することはなく、股下域から排泄物が漏れてしまうことはない。この物品では、脚周り開口の底部で起立する脚周りフラップが排泄物に対する障壁を形成し、脚周り開口の底部からの排泄物の漏れを防ぐことができる。
【００５６】
脚周り開口の底部の側に位置する脚周りフラップの自由側縁間の最小離間寸法が脚周り開口の底部の側に位置する第１パネルの両側縁間の最小幅寸法と略同一になっている物品では、第１パネルの最小幅寸法を着用者の股間部に納まる寸法にすることで、脚周り開口の底部における股下域を着用者の股間部に確実に納めることができる。
【００５７】
第１折曲線と脚周りフラップの自由側縁との間に第２パネルが配置された物品では、第２パネルにも排泄物を吸収させることができるので、脚周り開口の底部において物品に多量の排泄物を吸収させることができる。この物品では、第１および第２折曲線を介して脚周りフラップと第２パネルとが物品の幅方向内方かつ脚周り開口の内側へ向かって折り込まれることで、脚周り開口の底部の側に位置する脚周りフラップとともに第２パネルが第１パネルの上方へ起立する。この物品では、脚周り開口の底部で起立する脚周りフラップと第２パネルとが排泄物に対する障壁を形成するので、脚周り開口の底部からの排泄物の漏れを防ぐことができる。
【００５８】
第２折曲線を含むその近傍において第２パネルの剛性が相対的に低いかまたは第２パネルが存在しない物品では、第２折曲線を介して脚周りフラップを第２折曲線で折曲し易く、第２折曲線を含むその近傍に第２パネルが存在する場合と比較し、脚周りフラップを折り込んだときのフラップの嵩張りを防ぐことができる。
【図面の簡単な説明】
【図１】使い捨て着用物品の斜視図。
【図２】脚周りフラップを脚周り開口の内側へ折り込む以前の状態で示す物品の斜視図。
【図３】前後胴周り域の連結を解除した状態で示す図２の物品の部分破断展開平面図。
【図４】図１のＡ−Ａ線矢視断面図。
【図５】胴周り開口を広げて図１の物品を胴周り開口の上方から見たときの図。
【図６】他の実施の形態を示す着用物品の斜視図。
【図７】前後胴周り域の連結を解除した状態で示す図６の物品の部分破断展開平面図。
【図８】図６のＢ−Ｂ線矢視断面図。
【図９】胴周り開口を広げて図６の物品を胴周り開口の上方から見たときの図。
【符号の説明】
１Ａ，１Ｂ    使い捨て着用物品
２            透液性表面シート（透液性シート）
３            不透液性裏面シート（不透液性シート）
４            不透液性外装シート（不透液性シート）
５            吸液性第１パネル
５ｂ          両側縁
１３            脚周りフラップ
１３ａ          自由側縁
１６            胴周り開口
１７            脚周り開口
１７ａ          頂部
１７ｂ          底部
２２            脚周り用弾性部材
２５            吸液性第２パネル
Ｌ１            第１折曲線
Ｌ２            第２折曲線
Ｍ１            最小幅寸法
Ｍ２            最小離間寸法
Ｍ３            幅寸法
【図１】
0004051208.tif 000002
【図２】
0004051208.tif 000003
【図３】
0004051208.tif 000004
【図４】
0004051208.tif 000005
【図５】
0004051208.tif 000006
【図６】
0004051208.tif 000007
【図７】
0004051208.tif 000008
【図８】
0004051208.tif 000009
【図９】
0004051208.tif 000010